(57)【要約】  【課題】パネルの４隅等を直接支持することによりパネルのみによって外壁面を構成するフレームレス工法において、縦目地及び横目地をきっちりと位置調整できるようにする。  【解決手段】コーナー部パネル支持装置３は面内水平方向、面内上下方向及び面外方向の３次元調整を可能とする。３次元調整構造は、方立２に縦方向の長孔5a、5bが形成された垂直板部５が固設され、前記垂直板部５の長孔5a、5bを挿通する中空ネジ部材22が設けられ、且つ前記垂直板部５の両側に夫々、前記中空ネジ部材５が挿通された挟持板20A、20Bが配設されるとともに、この挟持板20A、20Bの外側に夫々前記中空ネジ部材２２に螺設された締結用ナット21が配設され、かつパネル支持装置３には、室内外方向に長い軸挿通孔10b、10cが形成されるとともに、該軸挿通孔10b、10cを通して前記中空ネジ部材22のねじ孔に挿入された軸部材11により連結された構造とする。【選択図】図７
2006057299.tif 000002
【特許請求の範囲】
【請求項１】
建物の外壁部分に上下左右方向に隣接配置されるパネルを、パネルの隅部同士が突き合わされるコーナー交点部に配置されるとともに、パネルと構造支持体とを連結するコーナー部パネル支持装置によって支持するようにした外壁パネルの支持構造において、
前記コーナー部パネル支持装置は、面内水平方向、面内上下方向及び面外方向の３次元調整を可能としたことを特徴とする外壁パネルの支持構造。
【請求項２】
左右方向に隣接するパネル境界部に、パネルの中間側縁部を支持する側縁部パネル支持装置を設けるとともに、該側縁部パネル支持装置は、面内水平方向、面内上下方向及び面外方向の３次元調整を可能とした請求項１記載の外壁パネルの支持構造。
【請求項３】
前記コーナー部パネル支持装置及び側縁部パネル支持装置の各パネル支持装置における３次元調整構造は、構造支持体に縦方向の長孔が形成された垂直板部が固設され、前記垂直板部の長孔を挿通する中空ネジ部材が設けられ、且つ前記垂直板部の両側に夫々、前記中空ネジ部材が挿通された挟持板が配設されるとともに、この挟持板の外側に夫々前記中空ネジ部材に螺設された締結用ナットが配設され、かつパネル支持装置に、室内外方向に長い軸挿通孔が形成されるとともに、該軸挿通孔を通して前記中空ネジ部材のねじ孔に挿入された軸部材により連結された構造とされ、
前記パネル支持装置は、前記中空ネジ部材の左右方向位置を調整することにより面内水平方向の調整が可能とされ、前記垂直板部に形成された縦方向の長孔範囲内で前記中空ネジ部材を上下方向に移動させることにより面内上下方向の調整が可能とされ、かつ前記パネル支持装置に形成された前記軸挿通孔範囲内で室内外方向に移動調整されることにより面外方向位置の調整が可能とされる請求項１、２いずれかに記載の外壁パネルの支持構造。
【請求項４】
前記コーナー部パネル支持装置は、上段側に位置する左右２枚のパネルを支持する上部ファスナーと、下段側に位置する左右２枚のパネルをそれぞれ支持する左右一対の下部ファスナーとを備え、かつ上段側に位置する左右２枚のパネルの下端側隅部には前記上部ファスナーと係合可能なパネル下部金具が取り付けられるとともに、下段側に位置する左右２枚のパネルの上端側隅部には前記下部ファスナーと係合可能なパネル上部金具が取り付けられ、
前記上部ファスナーとパネル下部金具とは、係合部を中心として前記パネル下部金具と共にパネルが所定の角度範囲で傾倒可能とされ、前記下部ファスナーは、パネル上部金具に対する係合片を有するとともに、コーナー部パネル支持装置に対して着脱自在とされ、前記パネル上部金具は前記係合片が係合される係合溝を有する請求項１〜３いずれかに記載の外壁パネルの支持構造。
【請求項５】
前記パネル下部金具は、室外側にパネルの隅部が嵌合されるパネル嵌入溝部が形成されるとともに、室内側に前記上部ファスナーに係合可能な係合溝を有する部材である請求項４記載の外壁パネルの支持構造。
【請求項６】
前記パネル上部金具は、室外側にパネルの隅部が嵌合されるパネル嵌入溝部が形成されるとともに、室内側に下部ファスナーに係合可能な係合溝を有する部材である請求項４記載の外壁パネルの支持構造。
【請求項７】
前記側縁部パネル支持装置は、左右に位置する２枚のパネルを支持する中間部ファスナーを備えるとともに、左右に位置するパネルの側縁部にはそれぞれ前記中間部ファスナーと係合可能なパネル側縁金具が取り付けられ、
前記中間部ファスナーは、前記パネル側縁金具に対する係合片を有するとともに、側縁部パネル支持装置に対して着脱自在とされ、前記パネル側縁金具は前記係合片が係合される係合溝を有する請求項４〜６いずれかに記載の外壁パネルの支持構造。
【発明の詳細な説明】
【技術分野】
【０００１】
本発明は、ビル等の外壁部分において、板ガラスなどのパネルを直接的に支持するカーテンウォール構造に係り、詳しくはフレーム枠状のパネル支持材を有さず、パネルの４隅等を直接支持することにより、パネルのみによって外壁面を構成するフレームレス工法における外壁パネルの支持構造に関する。
【背景技術】
【０００２】
近年はカーテンウォール構造の多様化によって、フレーム枠状のパネル支持材を有さず、パネル（主として板ガラス）の４隅、または４隅及び側縁の一部を直接支持することによりパネルのみによって外壁面を構成するフレームレス工法が普及しつつある。フレームレス工法のパネル支持構造としては、従来より種々の構造が提案されている。
【０００３】
近時では例えば、下記特許文献１に、構造が簡単で施工及びパネルの交換が容易で、更にコスト低減を図ったパネル支持構造が提案されている。同パネルの支持構造は、図１５及び図１６に示されるように、建物構造体に設けた支持部材に固定される固定ブラケット５０と、背面に前記固定ブラケット５０に結合されるロッドを備えた上部ブラケット５１、及び２分割されて該上部ブラケット５１に着脱可能に装着される左右の下部ブラケット５２Ａ、５２Ｂからなる正面が方形のブラケットと、平面がほぼ三角形状で前面側に外側に開口し前記面板の角部に挿入される面板挿入穴５３ａ、及び背面側に内側に開口し前記ブラケット５１，５２Ａ、５２Ｂの角部に挿入されるブラケット挿入穴５３ｂが設けられた複数の面板ファスナー５３Ａ〜５３Ｄとを備えるものである。
【０００４】
同特許文献１ではパネルの建込みに当たっては、面板Ｐの各角部に面板ファスナー５３Ａ〜５３Ｄをそれぞれ装着し、面板Ｐの下部の面板ファスナー５３Ａ、５３Ｂのブラケット挿入穴５３ｂを、下段部に設けた上部ブラケット５１の角部に挿入した後、面板Ｐを前方に傾けながら上端側面板ファスナ５３Ｃ、５３Ｄのブラケット挿入穴５３ａに、それぞれ下部ブラケット５２Ａ、５２Ｂを挿入した後、面板Ｐをほぼ垂直に戻して、下部ブラケット５２Ａ、５２Ｂを上部ブラケット５１にボルトによって結合し固定を図ることが記載されている。
【特許文献１】特開２００１−２２０８４８号公報
【発明の開示】
【発明が解決しようとする課題】
【０００５】
しかしながら、前記特許文献１の支持構造の場合は、ブラケットを支持するロッドの螺入量を調整することにより室内外方向の位置調整を可能とし、同一平面内に揃えてパネルを設置できるようにしているが、パネル間の縦目地や横目地の位置調整ができず、目地ラインはパネル間でズレを生じ、外観的に歪んで見えるようになるなどの問題があった。
【０００６】
また、特許文献１では、効果の一つとして、パネルの交換が容易であるとするが、実際には面板Ｐの下端隅部に設けた面板ファスナー５３Ａ、５３Ｂを上部ブラケット５１に嵌合させた状態で、面板Ｐを前方に傾倒可能な構造とはなっておらず、仮に面板Ｐを無理に傾倒させると、面板Ｐや面板ファスナー５３Ａ、５３Ｂに過大な曲げ応力が生じ、破損の危険性がある。すなわち、面板Ｐを容易に傾倒可能な構造としなければ、一部の面板が破損した場合、面板Ｐの交換を容易に行うことができないなどの問題があった。
【０００７】
そこで本発明の主たる課題は、パネルの４隅等を直接支持することによりパネルのみによって外壁面を構成するフレームレス工法において、縦目地及び横目地をきっちりと位置調整できるようにした外壁パネルの支持構造を提供することにある。
【０００８】
また、１枚毎に単独で、パネルの取付け（施工）及び取り外し（交換）が容易に行えるようにした外壁パネルの支持構造を提供することにある。
【課題を解決するための手段】
【０００９】
前記課題を解決するために請求項１に係る本発明として、建物の外壁部分に上下左右方向に隣接配置されるパネルを、パネルの隅部同士が突き合わされるコーナー交点部に配置されるとともに、パネルと構造支持体とを連結するコーナー部パネル支持装置によって支持するようにした外壁パネルの支持構造において、
前記コーナー部パネル支持装置は、面内水平方向、面内上下方向及び面外方向の３次元調整を可能としたことを特徴とする外壁パネルの支持構造が提供される。
【００１０】
請求項２に係る本発明として、左右方向に隣接するパネル境界部に、パネルの中間側縁部を支持する側縁部パネル支持装置を設けるとともに、該側縁部パネル支持装置は、面内水平方向、面内上下方向及び面外方向の３次元調整を可能とした請求項１記載の外壁パネルの支持構造が提供される。
【００１１】
請求項３に係る本発明として、前記コーナー部パネル支持装置及び側縁部パネル支持装置の各パネル支持装置における３次元調整構造は、構造支持体に縦方向の長孔が形成された垂直板部が固設され、前記垂直板部の長孔を挿通する中空ネジ部材が設けられ、且つ前記垂直板部の両側に夫々、前記中空ネジ部材が挿通された挟持板が配設されるとともに、この挟持板の外側に夫々前記中空ネジ部材に螺設された締結用ナットが配設され、かつパネル支持装置に、室内外方向に長い軸挿通孔が形成されるとともに、該軸挿通孔を通して前記中空ネジ部材のねじ孔に挿入された軸部材により連結された構造とされ、
前記パネル支持装置は、前記中空ネジ部材の左右方向位置を調整することにより面内水平方向の調整が可能とされ、前記垂直板部に形成された縦方向の長孔範囲内で前記中空ネジ部材を上下方向に移動させることにより面内上下方向の調整が可能とされ、かつ前記パネル支持装置に形成された前記軸挿通孔範囲内で室内外方向に移動調整されることにより面外方向位置の調整が可能とされる請求項１、２いずれかに記載の外壁パネルの支持構造が提供される。
【００１２】
請求項４に係る本発明として、前記コーナー部パネル支持装置は、上段側に位置する左右２枚のパネルを支持する上部ファスナーと、下段側に位置する左右２枚のパネルをそれぞれ支持する左右一対の下部ファスナーとを備え、かつ上段側に位置する左右２枚のパネルの下端側隅部には前記上部ファスナーと係合可能なパネル下部金具が取り付けられるとともに、下段側に位置する左右２枚のパネルの上端側隅部には前記下部ファスナーと係合可能なパネル上部金具が取り付けられ、
前記上部ファスナーとパネル下部金具とは、係合部を中心として前記パネル下部金具と共にパネルが所定の角度範囲で傾倒可能とされ、前記下部ファスナーは、パネル上部金具に対する係合片を有するとともに、コーナー部パネル支持装置に対して着脱自在とされ、前記パネル上部金具は前記係合片が係合される係合溝を有する請求項１〜３いずれかに記載の外壁パネルの支持構造が提供される。
【００１３】
請求項５に係る本発明として、前記パネル下部金具は、室外側にパネルの隅部が嵌合されるパネル嵌入溝部が形成されるとともに、室内側に前記上部ファスナーに係合可能な係合溝を有する部材である請求項４記載の外壁パネルの支持構造が提供される。
【００１４】
請求項６に係る本発明として、前記パネル上部金具は、室外側にパネルの隅部が嵌合されるパネル嵌入溝部が形成されるとともに、室内側に下部ファスナーに係合可能な係合溝を有する部材である請求項４記載の外壁パネルの支持構造が提供される。
【００１５】
請求項７に係る本発明として、前記側縁部パネル支持装置は、左右に位置する２枚のパネルを支持する中間部ファスナーを備えるとともに、左右に位置するパネルの側縁部にはそれぞれ前記中間部ファスナーと係合可能なパネル側縁金具が取り付けられ、
前記中間部ファスナーは、前記パネル側縁金具に対する係合片を有するとともに、側縁部パネル支持装置に対して着脱自在とされ、前記パネル側縁金具は前記係合片が係合される係合溝を有する請求項４〜６いずれかに記載の外壁パネルの支持構造が提供される。
【発明の効果】
【００１６】
以上詳説のとおり請求項１〜請求項７記載の本発明によれば、パネルの４隅等を直接支持することによりパネルのみによって外壁面を構成するフレームレス工法において、コーナー部パネル支持装置は、面内水平方向、面内上下方向及び面外方向の３次元調整可能としたため、同一平面内に揃えてパネルを設置できることはもちろんの事、パネル間の縦目地及び横目地の位置、幅調整が可能となり、目地ラインにズレを生じさせることなく直線に調整できるようになる。
【００１７】
また、請求項４〜７記載の本発明によれば、１枚毎に単独でパネルの取付け（施工）及び取り外し（交換）が容易に行えるようになるため、施工時に任意の手順によりパネルの取付けが行えるようになる。従って、例えばビル壁面の真ん中から施工を開始できるようになるし、或いは所定箇所を開口のままとしておき、材料や資材の搬入口として活用した後、最後に該搬入口部のパネル取付を行うことができる。さらに、任意位置のパネルを単独で取り外しできるため、破損した際や一部のデザイン変更のために所定のパネルのみを簡単に交換できるようになる。
【００１８】
さらに、パネル間の層間変位にも追従可能な構造であるため、地震時にパネルに過大な応力が発生することがなく、パネルの破損を未然に防止することができる。
【発明を実施するための最良の形態】
【００１９】
以下、本発明の実施の形態について図面を参照しながら詳述する。
【００２０】
（パネルの支持構造）
図１は本発明に係るカーテンウォールの要部姿図、図２はその斜視図、図３はコーナー部パネル支持装置３の拡大矢視図、図４は側縁部パネル支持装置４の拡大斜視図である。
【００２１】
図１に示されるように、本カーテンウォール構造１は、ビル等の建物の外壁部において、上下左右方向に隣接配置される板ガラスからなるパネルＰ、Ｐ…が、フレーム枠状のパネル支持材を用いることなく、各パネルＰ、Ｐ…の隅部が突き合うコーナー交点部に配設されたコーナー部パネル支持装置３、３…及び中間側縁部（１点〜３点程度）に配設された側縁部パネル支持装置４、４…によって支持されることにより、実質的にパネルＰ、Ｐ…のみによって外壁を構成するようにしたものである。
【００２２】
以下、具体的に前記カーテンウォール構造１について詳述すると、
図２〜図５等に示されるように、建物の室外側部分に、水平方向に間隔をおいて方立２，２…が配設され、この方立２の室外側面に、上下方向に所定の間隔を空けて、ブラケット状の垂直板部５、５…が溶接等によって複数固設され、これら垂直板部５，５…にコーナー部パネル支持装置３、３…、側縁部パネル支持装置４，４…、が取り付けられ、パネルＰ、Ｐ…の各隅角部及び側縁部を支持するようになっている。
【００２３】
前記コーナー部パネル支持装置３は、図５に示されるように、主に、前記垂直板部５に対してボルト１１によって連結されるとともに、室外側面に上部ファスナー部１０ａを備える支持装置本体１０と、該支持装置本体１０の下部側位置にボルト１２によって締結される左右一対の下部ファスナー１３Ａ、１３Ｂと、パネルＰの下端側隅部に夫々設けられるパネル下部金具１４Ａ、１４Ｂと、パネルＰの上端側隅部に夫々設けられるパネル上部金具１５Ａ、１５Ｂとから構成されている。
【００２４】
前記支持装置本体１０は、詳細には図８に示されるように、平面視で断面略コ字状を成す部材であり、室外側面に断面Ｌ字状に形成された上部ファスナー１０ａを備えるとともに、室外側寄りの下部側面に下部ファスナー１３Ａ、１３Ｂの一端を固定するためのネジ孔１０ｄが形成されている。また、室内側寄りの両側面には、室内外方向に長い長孔（軸挿通孔）１０ｂ、１０ｃが上下部に夫々形成されるとともに、外側面はズレ止めのために鉛直方向に沿って細かい凹凸条（ギザ）が形成されている。
【００２５】
前記上部ファスナー部１０ａは、上部側パネルＰ、Ｐを共通的に支持する部材で、その断面形状は、先端部（係合面）が凸形状とされ、パネル下部金具１４Ａ、１４Ｂの係合溝１４ｄが嵌合された状態で、パネルＰがパネル下部金具１４Ａ、１４Ｂと共に係合部を回転中心として所定の角度範囲、具体的には数度の角度範囲で傾倒可能となっている。
【００２６】
また、前記支持装置本体１０は、垂直板部５との連結部位において、面内水平方向、面内上下方向及び面外方向の３次元調整が可能となっている。
【００２７】
図７に示されるように、前記垂直板部５には上下部にそれぞれ縦方向に長い長孔５ａ、５ｂが形成されるとともに、両側面には後述する挟持板２０Ａ、２０Ｂのズレ止めを図るために水平方向に沿って細かい凹凸条（ギザ）が形成されている。
【００２８】
前記垂直板部５の両側面にはそれぞれ挟持板２０Ａ、２０Ｂが配置されるようになっている。この挟持板２０Ａ、２０Ｂは、上下部にそれぞれ丸孔２０ａ、２０ｂが形成されるとともに、前記垂直板部５に対する当接面にはズレ止めのために水平方向に沿って細かい凹凸条（ギザ）が形成されている。
【００２９】
外面及び内面に夫々ネジが切られた中空ネジ部材２２，２２を、前記挟持板２０Ａ、２０Ｂの丸孔２０ａ、２０ｂおよび前記垂直板部５の長孔５ａ、５ｂを挿通させるようにして配置し、前記挟持板２０Ａ、２０Ｂの外面側において締結用ナット２１，２１により挟み付けるようにして固定を図る。なお、前記中空ネジ部材２２の頭部にはワッシャ状のガイド板２２ａが設けられ、先端部には同形状のガイド板２３が螺設されるようになっている。なお、図９に示されるように、前記中空ネジ部材２２にガイド板２３を取り付けた状態で、その長手寸法は前記支持装置本体１０の凹部１０ｅの内寸法に整合するようになっている。
【００３０】
一方、前記支持装置本体１０の取付は、図８に示されるように、凹部１０ｅ内に垂直板部５部分を挿入し、外側面に夫々矩形ワッシャ２４をあてがい、この矩形ワッシャー２４の丸孔２４ａ、支持装置本体１０の長孔１０ｂ，１０ｃを通して、中空ネジ部材２２の中空ネジ孔にボルト１１を螺入し締結する。なお、前記矩形ワッシャー２４の当接面にはズレ止めのために鉛直方向に沿って細かい凹凸条（ギザ）が形成されている。
【００３１】
以上詳説した支持装置本体５部において、３次元方向の調整を行うには、前記中空ネジ部材２２の左右方向位置を調整することにより面内水平方向の調整を行い、前記締結用ナット２１、２１を緩め、前記垂直板部５に形成された縦方向の長孔５ａ、５ｂ範囲内で前記中空ネジ部材２２を上下方向に移動させることにより面内上下方向の調整を行う。これら面内水平方向位置と上下方向位置を調整した後、締結用ナット２１，２１を締結し挟持板２０Ａ、２０Ｂにより垂直板部５を挟み付けるようにして固定した後、支持装置本体１０に形成された軸挿通孔１０ｂ、１０ｃの範囲内で室内外方向に移動調整することにより面外方向位置の調整を行うようにする。
【００３２】
一方、前記下部ファスナー１３Ａ、１３Ｂは、図６及び図９に示されるように、パネル境界線（縦目地）を境に対称形状を成す左右一対の部材で、水平方向に向けた係合片１３ａを有する形状を成している。また、基端部にボルト孔１３ｂを有し、前記支持装置本体１０のネジ孔１０ｄにボルト１２によって着脱自在に取付けできるようになっている。
【００３３】
パネルＰの下側隅部に設置されるパネル下部金具１４Ａ、１４Ｂは、室外側にパネルＰの隅部が嵌合されるパネル嵌入溝部１４ｃが形成されるとともに、室内側に前記上部ファスナー１０ａに対して係合可能なように下方側に係合溝１４ｄを臨ませた部材である。なお、前記パネル嵌入溝１４ｃ内にはパネルＰを取り囲むように定形ゴム材２６が内装され、パネルＰの緩衝材としての機能の他、パネルＰを一旦差し込んだならばパネル下部金具１４Ａ、１４Ｂが容易に抜脱しないようになっている。
【００３４】
一方、パネル上部金具１５Ａ、１５Ｂは、室外側にパネルＰの隅部が嵌合されるパネル嵌入溝部１５ｃが形成されるとともに、室内側に下部ファスナー１３Ａ、１３Ｂが係止される係合溝１５ｄを有する部材であり、前記係合溝１５ｄに、前記下部ファスナー１３Ａ、１３Ｂの係合片１３ａが挿入されパネルＰが支持されるようになっている。
【００３５】
次に、パネルＰの中間側縁部を支持する側縁部パネル支持装置４は、図６に示されるように、主に、前記垂直板部５に対してボルト１１によって連結される支持装置本体１６と、該支持装置本体１６の室外側寄り位置にボルト１２によって締結される左右一対の中間部ファスナー１７Ａ、１７Ｂと、パネルＰの側縁部に設けられるパネル側縁金具１８Ａ、１８Ｂとから構成されている。
【００３６】
前記中間部ファスナー１７Ａ、１７Ｂは、パネル境界線を境に対称形状を成す左右一対の部材であり、室外側に水平方向に向けた係合片１７ａを有する形状を成している。また、基端部にボルト孔１７ｂを有し、ボルト１２によって着脱自在に取付けできるようになっている。
【００３７】
前記パネル側縁金具１８Ａ、１８Ｂは、室外側にパネルＰの側縁部が嵌合されるパネル嵌入溝部１８ｃが形成されるとともに、室内側に前記中間部ファスナー１７Ａ、１７Ｂが係止される係合溝１８ｄを有する部材であり、前記係合溝１８ｄに前記中間部ファスナー１７Ａ、１７Ｂの係合片１７ａが横方向から挿入されパネルＰが支持されるようになっている。なお、前記パネル嵌入溝１８ｃ内にはパネルＰを取り囲むように定形ゴム材２６が内装され、パネルＰの緩衝材としての機能の他、パネルＰを一旦差し込んだならば、パネル側縁金具１８Ａ、１８Ｂが容易に抜脱しないようになっている。
【００３８】
前記支持装置本体１６における３次元調整機構は前記コーナー部パネル支持装置３と同様であるため、説明は省略する。
【００３９】
（パネルの建込み手順）
次に、パネルＰの建込み手順について詳述する。
【００４０】
パネルＰの建込みに先立って、コーナー部パネル支持装置３部位においては、支持装置本体１０を方立２の垂直板部５に前述した要領によって取付け、面内水平方向、面内上下方向及び面外方向の３次元調整を行い、側縁部パネル支持装置４部位においても、支持装置本体１６を方立２の垂直板部５に取付け、面内水平方向、面内上下方向及び面外方向の３次元調整を行っておく。
【００４１】
パネルＰの建込みは、図５に示されるように、予めパネルＰの上端側隅部に前記パネル上部金具１５Ａ、１５Ｂを取り付けるとともに、下端側隅部に前記パネル下部金具１４Ａ、１４Ｂを取り付け、更にパネルＰの中間側縁部にパネル側縁金具１８Ａ、１８Ｂを取り付けておく。また、前記パネル上部金具１５Ａ、１５Ｂに下部ファスナー１３Ａ、１３Ｂを仮固定しておくとともに、前記パネル側縁金具１８Ａ、１８Ｂに中間部ファスナー１７Ａ、１７Ｂを仮固定しておく。仮固定は、隙間にバックアップ材２６を詰めることにより行う。
【００４２】
以上の準備工程を終えたならば、図１１に示されるように、パネルＰをクレーン（図示せず）によって、取付け対象壁面部に持ち込んだならば、前記コーナー部パネル支持装置３の上部ファスナー１０ａに対し、パネル下端側隅部に取付けられたパネル下部金具１４Ａ、１４Ｂを係合させるようにしながら、パネル自重をコーナー部パネル支持装置３に預ける（図１２参照）。
【００４３】
次いで、図１３に示されるように、パネルＰを垂直状態まで傾動させ、下部ファスナー１３Ａ、１３Ｂを支持装置本体１０に対しボルト１２によって締結するとともに、中間部ファスナー１７Ａ、１７Ｂを支持装置本体１６に対しボルト１２によって締結する。上記要領によって、任意の順序でパネルＰを外壁部に建て込むようにする。
【００４４】
以上、パネルの建込み方法について説明したが、一部のパネルＰが破損した場合の交換については、逆の手順によって破損パネルを撤去することができる。すなわち、パネルＰが下端側を回転中心として傾倒可能な構造となっているため、下部ファスナー１３Ａ、１３Ｂのボルト１２及び中間部ファスナー１７Ａ、１７Ｂのボルト１２を取り外したならば、パネルＰの上端側を室外方向に傾け、そのまま上方に引き抜くことにより撤去が可能である。
【００４５】
ところで、本発明に係るカーテンウォール構造１においては、コーナー部パネル支持装置３部位においては、上部ファスナー１０ａにパネルＰの自重を預け上方向に移動可能とされ、かつ上下方向移動に関し、図５に示されるように、パネルＰの上端側では、パネル上部金具１５Ａ、１５Ｂと下部ファスナー１３Ａ、１３Ｂとの間に鉛直方向の変位を許容するように間隙Ｍ１が形成されるとともに、側縁部パネル支持装置４部位においては、パネル側縁金具１８Ａ、１８Ｂと中間部ファスナー１７Ａ、１７Ｂとの間に鉛直方向の変位を許容するように間隙Ｍ２が形成され、さらに水平方向に関しては、図９及び図１０に示されるように、パネルＰの上端側では、パネル上部金具１５Ａ、１５Ｂと下部ファスナー１３Ａ、１３Ｂとの間に水平方向の変位を許容するように間隙Ｍ３が形成されるとともに、側縁部パネル支持装置４部位においては、パネル側縁金具１８Ａ、１８Ｂと中間部ファスナー１７Ａ、１７Ｂとの間に水平方向の変位を許容するように間隙Ｍ４が形成され、パネルＰの層間変位に追従可能な構造となっている。従って、図１４に示されるように、地震時に層間変位を起こすことにより、パネルＰに過大な応力が発生することがなく、パネル破損を未然に防止できる構造となっている。
【図面の簡単な説明】
【００４６】
【図１】本発明に係るカーテンウォールの要部姿図である。
【図２】カーテンウォールの要部斜視図である。
【図３】コーナー部パネル支持装置３の拡大斜視図である。
【図４】側縁部パネル支持装置４の拡大斜視図である。
【図５】図２のV−V線矢視図（縦断面図）である。
【図６】コーナー部パネル支持装置３および側縁部パネル支持装置４の分解斜視図である。
【図７】コーナー部パネル支持装置３の３次元調整機構を示す、方立２に固設した垂直板部５部分の分解斜視図である。
【図８】支持装置本体１０取付部分の分解斜視図である。
【図９】コーナー部パネル支持装置３のファスナー取付部を示す横断面図（図５のIX−IX線矢視図）である。
【図１０】側縁部パネル支持装置４のファスナー取付部を示す横断面図（図５のＸ−Ｘ線矢視図）である。
【図１１】パネルの建込み手順を示す図（その１）である。
【図１２】パネルの建込み手順を示す図（その２）である。
【図１３】パネルの建込み手順を示す図（その３）である。
【図１４】層間変位に対する挙動図である。
【図１５】従来のパネル支持装置を示す斜視図である。
【図１６】その側面図である。
【符号の説明】
【００４７】
１…カーテンウォール構造、２…方立、３…コーナー部パネル支持装置、４…側縁部パネル支持装置、５…垂直板部、１０・１６…支持装置本体、１０ａ…上部ファスナー部、１０ｃ…長孔（軸挿通孔）、１１・１２…ボルト、１３Ａ・１３Ｂ…下部ファスナー、１４Ａ・１４Ｂ…パネル下部金具、１５Ａ・１５Ｂ…パネル上部金具、１７Ａ・１７Ｂ…中間ファスナー、１８Ａ・１８Ｂ…パネル側縁金具、２０Ａ・２０Ｂ…挟持板、２１…締結用ナット、２２…中空ネジ部材、２４…矩形ワッシャ、Ｐ…パネル
【図１】
2006057299.tif 000003
【図２】
2006057299.tif 000004
【図３】
2006057299.tif 000005
【図４】
2006057299.tif 000006
【図５】
2006057299.tif 000007
【図６】
2006057299.tif 000008
【図７】
2006057299.tif 000009
【図８】
2006057299.tif 000010
【図９】
2006057299.tif 000011
【図１０】
2006057299.tif 000012
【図１１】
2006057299.tif 000013
【図１２】
2006057299.tif 000014
【図１３】
2006057299.tif 000015
【図１４】
2006057299.tif 000016
【図１５】
2006057299.tif 000017
【図１６】
2006057299.tif 000018